(57)【要約】【課題】経済的に、容易に、かつ確実に組み立てることができる筆記具を提案する。【解決手段】本発明は、筆記具の分野に関し、より具体的には、前部本体（２）と、縦軸（Ｘ）を中心として前部本体（２）に対して回転可能な後部本体（３）と、弾性スナップフィットによって前部本体（２）と後部本体（３）とを軸方向に接続している管状部品（１４）と、を備えた、筆記具（１）に関する。【選択図】図４
2014054841.tif 000002
【特許請求の範囲】
【請求項１】
前部本体（２）と、
縦軸（Ｘ）を中心として、前記前部本体（２）に対して回転可能な後部本体（３）と、
弾性スナップフィットによって前記前部本体（２）と前記後部本体（３）とを軸方向に接続している管状部品（１４）と、
を備えた、筆記具（１）。
【請求項２】
弾性スナップフィットが半径方向のスナップフィットである、請求項１に記載の筆記具（１）。
【請求項３】
前記管状部品（１４）は、前記前部本体及び前記後部本体（２，３）に対して前記管状部品を軸方向に保持するために、前記前部本体及び前記後部本体（２，３）の複数の対応するショルダーに向かい合っている複数の半径方向ショルダーを有する、請求項１又は２に記載の筆記具（１）。
【請求項４】
前記管状部品（１４）は、前記筆記具（１）に収容されている、請求項１〜３のいずれか１項に記載の筆記具（１）。
【請求項５】
前記管状部品（１４）は、前記前部本体及び前記後部本体（２，３）の一方に対して回転的に固定されており、前記前部本体及び前記後部本体（２，３）の他方に対する２つの回転止め（３３）を有する、請求項１〜４のいずれか１項に記載の筆記具（１）。
【請求項６】
前記管状部品（１４）は、長手方向スロット（２９）を有する、請求項１〜５のいずれか１項に記載の筆記具（１）。
【請求項７】
前記管状部品（１４）は、前記前部本体又は前記後部本体（２，３）の一方に固定されたリブ（２５）を前記長手方向スロット（２９）に受け入れ、前記前部本体又は前記後部本体（２，３）の一方に対して前記管状部品（１４）が回転的に固定される、請求項６に記載の筆記具（１）。
【請求項８】
前記溝（２５）は、前記長手方向スロット（２９）に圧入されている、請求項７に記載の筆記具（１）。
【請求項９】
筆記先端部（１０）と、
前記縦軸（Ｘ）を中心とした前記前部本体と前記後部本体（２，３）との相対回転によって動作可能な、前記筆記先端部（１０）の格納伸長機構と、
をさらに備えた、請求項１〜８のいずれか１項に記載の筆記具（１）。
【請求項１０】
前記格納伸長機構は、前記前部本体及び前記後部本体（２，３）の一方に対して回転的に固定されたカム面（２１）と、前記前部本体及び前記後部本体（２，３）の他方に対して回転的に固定されるとともに前記カム面（２１）に接する要素とを含み、
前記カム面（２１）又は前記カム面に接する前記要素は、前記縦軸（Ｘ）に沿って前記筆記具（１）の内部で移動することができ、かつ、少なくとも前記縦軸（Ｘ）に沿った移動において前記筆記先端部（１０）に接続される、請求項９に記載の筆記具（１）。
【請求項１１】
前記前部本体（２）は、第１長手面（Ａ）に関して非対称な人間工学に基づいた握りセグメント（４）を備え、
前記後部本体（３）は、第２長手面（Ｂ）に関して非対称であり、
前記縦軸（Ｘ）は、前記第１長手面（Ａ）と前記第２長手面（Ｂ）との交線に対応しており、
前記後部本体（３）は、右手で握るのに適した位置と左手で握るのに適した位置との間で、前記縦軸（Ｘ）を中心として、前記前部本体（２）に対して回転可能である、請求項１〜１０のいずれか１項に記載の筆記具（１）。
【請求項１２】
前記人間工学に基づいた握りセグメント（４）は、長手方向に向きが合わされ、かつ、前記セグメント（４）の握り面（８）に対して半径方向に突出しているリブ（６）を前記第１長手面（Ａ）の一方の側に有する、請求項１１に記載の筆記具（１）。
【請求項１３】
前記リブ（６）は、前記セグメント（４）の前記握り面（８）に対して２ｍｍ以上突出している、請求項１２に記載の筆記具（１）。
【請求項１４】
前記人間工学に基づいた握りセグメント（４）は、前記前部本体（２）の前端部の方向において、指のための止めフランジ（７）を有する、請求項１１〜１３のいずれか１項に記載の筆記具（１）。
【請求項１５】
前記人間工学に基づいた握りセグメント（４）は、柔軟性のある握り面（８）を有する、請求項１１〜１４のいずれか１項に記載の筆記具（１）。
【請求項１６】
前記柔軟性のある握り面（８）は、前記人間工学に基づいた握りセグメント（４）の上にオーバーモールドされている、請求項１５に記載の筆記具（１）。
【請求項１７】
筆記先端部（１０）と、
前記前部本体と前記後部本体（２，３）との相対回転によって動作可能であって、前記右手で握るのに適した位置と前記左手で握るのに適した位置との間の中間位置に前記後部本体（３）及び前記前部本体（２）があるときに前記筆記先端部（１０）が前記前部本体（２）に格納され、前記右手で握るのに適した位置又は前記左手で握るのに適した位置に前記後部本体（３）及び前記前部本体（２）があるときに前記筆記先端部（１０）が前記前部本体（２）の前端部を越えて突出するように構成された、前記筆記先端部の格納伸長機構と、
をさらに備えた、請求項１１〜１６のいずれか１項に記載の筆記具（１）。
【発明の詳細な説明】
【技術分野】
【０００１】
本発明は、筆記具の分野に関し、より具体的には、その組み立てに関する。
【背景技術】
【０００２】
本明細書において、「筆記具」は、適合表面に手でトレース書きするための如何なる道具をも意味する。筆記具としては、例えば、鉛筆、ペン、ボールペン又はフェルトペン、さらに適合スタイラスなどが挙げられる。全てのこれらの筆記具は、親指と人差し指との間の握り角度で後ろ部分を支持して筆記具を手の中で安定させつつ、人差し指及び中指の少なくとも１つの先端と親指の先端との間で筆記具の前部分を握るために、典型的には、細長い形を有する。
【０００３】
これらの人間工学に基づいた筆記具は、前部本体と、例えば筆記先端部の伸長格納機構を作動させるために縦軸の周りで前部本体に対して回転可能な後部本体とを備えている場合がある。
【先行技術文献】
【特許文献】
【０００４】
【特許文献１】国際公開第０１／９７６５３号
【発明の概要】
【発明が解決しようとする課題】
【０００５】
ただし、互いに対して回転する前部本体と後部本体とを備えたそのような筆記具の欠点は、シンプルかつ簡単に工業化可能な組み立てのための接続手段を用いて、前部本体と後部本体との信頼性のある機械的結合を確保することが困難なことである。前部本体及び後部本体は、筆記具の寿命がくるまでの間、縦軸を中心として、互いに頻繁に両回転方向に回転させられるので、例えばねじによる接続は適切でない可能性がある。
【課題を解決するための手段】
【０００６】
本発明は、これらの欠点を是正することを目的としている。具体的に、本発明の目的は、前部本体と、前部本体の縦軸を中心として前部本体に対して回転可能な後部本体と、を備え、経済的に、容易に、かつ確実に組み立てることができる筆記具を提案することにある。
【０００７】
少なくとも１つの実施形態において、本目的は、弾性スナップフィットによって前部本体と後部本体とを軸方向に接続している管状部品を筆記具がさらに備えているという事実によって達成される。スナップフィット（又はスナップロック）は、はめ合わせ及び弾性変形（一般的には局所的な変形、例えば、タブの）によって２つの部品を組み立てる方法である。２つの部品がスナップフィット位置ではめ合されているとき、これらの部品は、通常、それらの初期形状を取り戻しており、もはや弾性的に変形はしていない（又は、弾性的に殆ど変形していない）。２つの部品がスナップフィット位置で互いにはめ合されているとき、これらの部品は、離脱方向（はめ合わせ方向とは逆方向）へのこれらの部品の相対的な動きに対抗する又は阻止するように、互いに協働する。スナップフィット位置において、２つの部品は、スナップフィット位置を越えた、さらなるはめ合わせ方向への相対的な動きに対抗する又は阻止するように、協働することもできる。具体的に、このスナップフィットは、半径方向スナップフィット、つまり、はめ合せに際して、半径方向において管状部品がそのスナップフィット位置にカチッとはまるものであってもよい。この管状部品は、前部本体及び後部本体に対して管状部品を軸方向に保持するために、前部本体及び後部本体の複数のショルダーに対応する複数の対向ショルダーを有することができる。この構成は、筆記具の機械的な組み立てを簡単なものとし、前部本体と後部本体とを管状部品に対して軸方向に反対向きにはめ合わせるだけで、筆記具を組み立てることができる。管状部品は、スナップフィットを許容するように、ある程度の半径方向への弾性を持つことができ、軸方向に保持されるように管状部品が弾性的に緩んだ後、その半径方向ショルダーは、前部本体及び後部本体のショルダーに支持される。この管状部品は、特に、筆記具の内部に収容することができ、これにより、前部本体と後部本体との目に見えない接続が可能になる。
【０００８】
管状部品は、前部本体及び後部本体の一方に対して回転的に固定することができ、前部本体及び後部本体の他方に対する２つの回転止めを有することができる。このようにして、この部品は、２つの本体の間の相対回転を制限するように作用しうる。
【０００９】
弾性スナップフィットを容易にするために、この弾性部品は、長手方向スロットを備えることができる。この場合、弾性部品は、前部本体又は後部本体の１つに固定されたリブをこの長手方向スロットに受け入れることもできる。長手方向スロットは、前部本体又は後部本体の１つに対する管状部品の回転を阻止するように作用することもできる。また、管状部品の半径方向の拡張を生じさせるとともに、前部本体又は後部本体の少なくとも１つにおいて内部ショルダーと管状部品とのはめ合わせが生じるように、リブを長手方向スロットに圧入することができ、これにより、管状部品を介した前部本体と後部本体との軸方向の接続が確保される。
【００１０】
筆記先端部を格納するために、特に、筆記具を使用しないときに、汚れ、筆記先端部の乾燥、及び他の不利益を避けるために、筆記具は、筆記先端部と、前部本体と後部本体との相対回転によって動作可能な、筆記先端部の格納伸長機構と、をさらに備えることができる。具体的に、格納伸長機構は、前部本体及び後部本体の一方に対して回転的に固定されたカム面と、前部本体及び後部本体の他方に対して回転的に固定されるとともにカム面に接する要素とを備えることができ、カム面又はカム面に接する要素は、縦軸に沿って筆記具の内部で移動することができ、かつ、少なくとも縦軸に沿った移動において筆記先端部に接続される。カム面は、前部本体と後部本体との間の回転運動が軸線に沿った筆記先端部の並進運動に変換されることを可能にする。また、カム面に対する第２部品の接触を確実なものにするために、格納伸長機構は、カム面に逆らって第２部品を押すように設けられた弾性要素を備えることもできる。
【００１１】
筆記具を握ることを容易にするために、特に、書くことを学んでいる生徒のために、人間工学に基づいた形を有する種々の筆記具が提案されている。
【００１２】
例えば国際特許出願ＷＯ０１／９７６５３に開示されているような、これらの人間工学に基づいた筆記具は、第１長手面に関して非対称な人間工学に基づいた握りセグメントを持った前部本体と、第１長手面とは異なる第２長手面に関して非対称な後部本体とを表す場合がある。握りセグメントは、指の先端の間で握られるように構成されており、後部本体の非対称性は、握り角度の形、つまり、一方の手の親指と人差し指との間の空間により良く適合する。
【００１３】
ただし、そのような人間工学に基づいた筆記具の１つの欠点は、それらの非対称性が原因で、左手のみ又は右手のみでの使用にしかそれらを適合させることができないことにある。従って、ユーザにとっての欠点だけでなく、生産コスト及び保管コストの観点でこの問題に随伴する全てについて言えば、種々の筆記具は、右利き及び左利きの人のために生産されている必要がある。
【００１４】
人間工学に基づいており、かつ、右手又は左手での使用に汎用性のある筆記具を提供するために、少なくとも１つの実施形態において、前部本体は、第１長手面に関して非対称な人間工学に基づいた握りセグメントを備えることができ、後部本体は、第２長手面に関して非対称であってもよく、後部本体は、右手で握るのに適した位置と左手で握るのに適した位置との間で、前部本体に対して回転可能である、
【００１５】
これらの配置のために、筆記具の形は、右手又は左手での人間工学に基づいた使用に二者択一的に適したものとなり、この筆記具の人間工学は、その汎用性と相容れるものとなる。
【００１６】
人間工学に基づいた握りセグメントの上で人差し指と親指とを離すために、人間工学に基づいた握りセグメントは、長手方向に向きが合され、かつ、セグメントの握り面に対して半径方向に突出している溝を第１長手面の一方の側に有することができる。具体的に、この溝は、セグメントの握り面に対して２ｍｍ以上突出することができる。この溝は、人間工学に基づいた握りセグメントの上の正しい位置に生徒が指を置くことを手助けし、書くことを学ぶのを容易にしうる。また、溝は、筆記具をより安定して握ることを可能にする。
【００１７】
また、ユーザの視野を解放する目的で筆記面に対する指の隔たりを十分に確保するために、人間工学に基づいた握りセグメントは、前部本体の前端部の方向において、例えば先端から１０ｍｍ以上離れて、指のための止めフランジを有することができる。このことは、生徒が書くことを学ぶときの利点となるだけでなく、他のユーザもより快適にする。より優れた人間工学では、このフランジを特に縦軸に対して傾斜させることができる。
【００１８】
筆記具の握りをより快適なものにするために、人間工学に基づいた握りセグメントは、また、柔軟性のある握り面を有することができる。握り面は、好ましくは、前部本体の上にオーバーモールドされている。
【００１９】
手の握り角度において筆記具をより安定させるために、後部本体は、第２長手面の一方の側において、人差し指のつけ根で支持されるように構成された凹面を備えることができる。
【００２０】
右手で握るのに適した位置と左手で握るのに適した位置との間で、縦軸を中心として互いに対して相対的に回転することができる、前部本体及び後部本体を筆記具が有している場合、この筆記具は、また、筆記先端部と、筆記先端部の格納伸長機構とを備えることができる。格納伸長機構は、前部本体と後部本体との相対回転によって動作可能であって、右手で握るのに適した位置と左手で握るのに適した位置との間の中間位置に後部本体及び前部本体があるときに筆記先端部が前部本体に格納され、右手で握るのに適した位置又は左手で握るのに適した位置に後部本体及び前部本体があるときに筆記先端部が前部本体の前端部を越えて突出するように構成されている。これにより、右手又は左手での使用に適合するように後部本体を前部本体に対して回転させる動きは、同時に、筆記具を使用できる突出位置に筆記先端部を移動させることを助ける。中間位置から各方向に回転する間に筆記先端部に同一の伸長運動を行わせるために、カム面は、対称でありうる。
【００２１】
非限定的な例として示されている実施形態の以下の詳細な説明から、本発明をより明確に理解できるとともに、その利点をより明確にすることができる。説明では、添付の図面を参照する。
【図面の簡単な説明】
【００２２】
【図１】図１は、実施形態に係る筆記具の斜視図である。
【図２】図２は、右手での使用に適合する位置にある図１の筆記具の斜視図である。
【図３】図３は、左手での使用に適合する位置にある図１及び２の筆記具の斜視図である。
【図４】図４は、先の図の筆記具の分解斜視図である。
【図５】図５は、図１の筆記具のV-V面における横断面図である。
【図６】図６は、図１の位置にあるときの先の図の筆記具の縦断面図である。
【図７】図７は、図３の位置にあるときの先の図の筆記具の縦断面図である。
【図８】図８は、先の図の筆記具の後部本体の切り欠き図である。
【図９】図９は、IX-IX線に沿った、図８の後部本体の縦断面図である。
【図１０】図１０は、先の図の筆記具の前部本体の縦断面図である。
【図１１】図１１は、図１０の前部本体の背面図である。
【図１２】図１２は、前部本体及び後部本体を接続するように設計された管状部品の平面図である。
【図１３】図１３は、XIII-XIII線に沿った、図１２の管状部品の縦断面図である。
【図１４】図１４は、XIV-XIV線に沿った、図１３の管状部品の縦断面図である。
【発明を実施するための形態】
【００２３】
筆記具１の概略の配置を図１〜３に示す。この筆記具１は、図示された実施形態においてより具体的にはボールペンの形をなしており、縦軸Ｘを中心として互いに回転可能な前部本体２及び後部本体３を備えている。
【００２４】
前部本体２は、人間工学に基づいた握りセグメント４と、前部本体２の先端を形成している末端部分５との２つの部分を備えている。セグメント４は、特に、長手面Ａの片面において、半径方向に突出しているリブ６を有することから、長手面Ａに関して非対称である。筆記具１の使用時において、この溝６は、人差し指から親指を隔てることによって握ることを容易にするためのキーとして働く。また、セグメント４は、前部本体２の前端部の方向において指に対向する、半径方向に突出しているフランジ７を有し、これにより、人差し指、中指及び親指でセグメント４を取り巻いて握ることが容易になる。図に示す実施形態では、このフランジ７は、セグメント４をより快適に握れるように、軸方向に傾斜している。また、セグメント４は、セグメント４の他の部分よりも柔軟な材料でできたオーバーモールド握り面８を有する。この握り面８は、僅かにくぼんでおり、確実な握りのために、際立った又は突出した質感を有することもできる。末端部分５は、円錐状の外面と、セグメント４の前端部に末端部分５を固定するために、セグメント４の内部の雌ねじに相補的なねじ山とを有している。
【００２５】
後部本体３は、特に、長手面Ｂの片面において、ユーザの手の握り角度での人差し指のつけ根で後部本体を支持することを容易にする凹状支持面９を有することから、長手面Ｂに関して非対称である。ただし、使用されている手が右手であるか左手であるかに応じて、人差し指は、溝６の一方の側又は他方の側にある。右手又は左手での使用に筆記具１を適合させるために、後部本体３は、図２に示す位置と図３に示す位置との間で、縦軸Ｘを中心として、前部本体２に対して回転することができる。図２に示す位置は、溝６の右側に凹状面９がある状態で右手を使って使用することに適合している。図３に示す位置は、溝６の左側に凹状面９がある状態で左手を使って使用することに適合している。
【００２６】
これらの２つの位置の間において、長手面Ａ及びＢは、軸線Ｘに沿ったそれらの交線を中心として、互いに対して回転する。結果として、筆記具１は、図２の位置と図３の位置との間の位置であって、前部本体２の長手面Ａが後部本体３の長手面Ｂに一致する、図１に示す中間位置もとることができる。図示された実施形態において、筆記具１は、格納可能な筆記先端部１０と、筆記先端部１０の格納伸長機構とを備えている。格納伸長機構は、前部本体及び後部本体２，３の相対回転によって動作可能であって、図１に示す中間位置に前部本体及び後部本体２，３があるときに筆記先端部１０が前部本体２に格納され、図２及び図３に示す位置に前部本体及び後部本体２，３があるときに筆記先端部１０が前部本体２の前端部を越えて突出するように構成されている。前部本体２に対する後部本体３の回転角度αは、図１に示す中間位置と図２及び図３に示す各位置との間で、例えば、１２０°とすることができる。
【００２７】
図４は、筆記具１の分解斜視図であって、その内部の構成要素を示している。このように、筆記具１は、コイルばねの形を有する弾性要素１１、標準ボールペンリフィル１２、スライド１３及び管状部品１４を内部に含む。リフィル１２は、筆記先端部１０及びインクタンク１５を備えており、前方に向かって開放かつ後方に向かって少なくとも部分的に閉じているスライド１３の内部に収容される。弾性要素１１は、前部本体２の前端部においてノズル５の内面によって支持され、スライド１３の底部に向けてリフィル１２を押す。
【００２８】
図１のV-V面に沿った筆記具１の横断面図である図５から明らかなように、前部本体２の内面上のリブ１６，１７は、縦軸Ｘの周りでスライド１３が前部本体２に回転的に接続されるようにスライド１３の外面上の溝１８，１９と協働するとともに、縦軸Ｘに沿ったスライド１３の軸方向の変位を可能にしている。
【００２９】
スライド１３は、また、その外面上にフィンガー２０を有している。図６から明らかなように、このフィンガー２０は、後部本体３の内面に形成されたカム面２１に接しており、カム面２１とともに筆記先端部１０の格納伸長機構を構成している。カム面２１は、後部本体３が図１に示す中間位置から一方又は他方の方向に回転するときにフィンガー２０を前方に押すことができる、らせん状の外形を有する。スライド１３及びリフィル１２を介してフィンガー２０が筆記先端部１０に接続されているので、縦軸Ｘを中心として前部本体２に対して一方又は他方の方向に後部本体３が回転すると、筆記先端部１０は、図６に示すその格納位置と、図７に示すその筆記位置との間で変位する。図６に示す格納位置において、筆記先端部１０は、前部本体２、より詳細には、図示された実施形態における末端部分５に収容されている。図７に示す筆記位置において、筆記先端部１０は、前部本体２の前端部を越えて突出する。
【００３０】
カム面２１は、図８及び図９により明確に現れており、これらの図は、それぞれ、後部本体３の部分切り欠き図と、面Ｂに垂直な面IX-IXに沿った部分縦断面とを示している。これは、図３及び６に示す中間位置から一方又は他方の方向に後部本体３が回転するときに、筆記先端部１０の同一の伸長運動を生じさせるように、長手面Ｂに関してカム面２１がどのように対称であるのかを具体的に表している。また、このカム面は、それぞれの側において、フィンガー２０を引っ掛けて筆記先端部１０をその筆記位置に固定するように設計された、端部のノッチ２２を有する。ただし、各ノッチ２２の内縁２３の傾斜角度は、この位置から筆記先端部１０を前部本体２に格納するための中間位置へとユーザが前部本体２に対して後部本体３を回すときに、後部本体３の回転に対する僅かな抵抗だけを提供するものになっている。
【００３１】
後部本体３は、また、その内面において、複数の半径方向ショルダー２４と、管状部品１４と協働するように設計された長手方向リブ２５とを備えている。図１０及び図１１に示すように、セグメント４は、また、管状部品１４と協働するように設計されたリップ２６，２７をその後端部に有し、回転止め２８も有する。この管状部品１４は、図１２〜図１４に詳細に示されている。これらの図は、どのようにして管状部品が長手方向スロット２９を有しているのかを表している。一方、この長手方向スロットのおかげで、管状部品１４は、半径方向の面内において、より簡単に弾性的に変形することができる。ただし、図５に詳細に示すように、このスロット２９は、また、リブ２５と協働して管状部品１４を後部本体３に回転的に接続するように、後部本体３のリブ２５を受け入れることが可能である。ただし、管状部品１４に圧力が加えられていないときのスロット２９の幅は、リブ２５の幅よりも小さく、リブ２５がスロット２９に導入されたときに、リブ２５は、管状部品１４の半径方向の拡張を引き起こす。図１２〜図１４は、また、管状部品１４がその外面において、どのようにして複数の半径方向ショルダー３０を有しているのかを表している。図６及び図７に詳細に示すように、スロット２９にリブ２５が圧入されることによって半径方向に拡張された管状部品１４におけるこれらの半径方向ショルダー３０は、弾性スナップフィットによって管状部品１４を後部本体３の中に保持するように、半径方向ショルダー２４と協働する。管状部品１４及び後部本体３に対して前部本体２が回転することを阻むことなく、弾性スナップフィットによって前部本体２を軸方向に保持するように、管状部品１４の後縁３１は、また、セグメント４のリップ２６，２７を支持する半径方向ショルダーを形成している。ただし、図１２〜図１４に示すように、管状部品１４は、また、回転止め３３を形成する複数の軸方向突起をその前縁３２において有し、それらは、前部本体２の対応する回転止め２８に突き当たって前部本体２に対する後部本体３の相対的な回転を制限する。このように、管状部品１４は、前部本体２と後部本体３とを軸方向に接続するとともに、それらの相対的な回転を図２及び３に示す位置間に収めている。
【００３２】
筆記具１の組立時において、スライド１３は、セグメント４に導入され、管状部品１４は、リップ２６の前面にその後縁３１が支持されうるまで、半径方向の弾性により、セグメント４の後端部の上に通される。次に、管状部品１４のスロット２９が後部本体３のリブ２５に揃い、かつ、スライド１３の溝１８，１９がセグメント４の内面上の対応するリブ１６，１７に揃った状態にて、セグメント４の後端部が管状部品１４及びスライド１３とともに後部本体３に導入される。管状部品１４の半径方向の弾性と、管状部品１４及び後部本体３のそれぞれにおける面３４及び３５の傾斜とにより、セグメント４の後端部及び管状部品１４は、スロット２９へのリブ２５の強制的なはめ合いによって管状部品１４の半径方向の拡張が引き起こされるまで、後部本体の前端部に入ることができ、これにより、その半径方向ショルダー３０は、後部本体３の半径方向ショルダー２４に支持されて、セグメント４が後部本体２に対して軸方向に固定される。リフィル１２及びばね１１は、セグメント４の前端部を通じて、筆記具１に導入することができ、前部本体２及び筆記具１を完成させるように、セグメント４は、末端部分５で閉じることができる。以降は、後部本体３から前部本体２の全体を分離させる必要はなく、末端部分５を回して外すことによってリフィル１２を容易に詰め替えることができる。
【００３３】
詳細な実施形態を参照して本発明を説明したが、特許請求の範囲によって定義される本発明の一般的範囲を逸脱することなく、様々な修正及び変更がこれらの例に対してなされてもよいことは明らかである。従って、明細書及び図面は、限定的ではなく、例示的に与えられているものと考えるべきである。
【図１】
2014054841.tif 000003
【図２】
2014054841.tif 000004
【図３】
2014054841.tif 000005
【図４】
2014054841.tif 000006
【図５】
2014054841.tif 000007
【図６】
2014054841.tif 000008
【図７】
2014054841.tif 000009
【図８】
2014054841.tif 000010
【図９】
2014054841.tif 000011
【図１０】
2014054841.tif 000012
【図１１】
2014054841.tif 000013
【図１２】
2014054841.tif 000014
【図１３】
2014054841.tif 000015
【図１４】
2014054841.tif 000016
【外国語明細書】
2014054841000001.pdf